(57)【要約】      （修正有）【課題】発電反応を促進可能とするとともに、長期間安定した出力を得ることが可能であり、長寿命化が可能な燃料電池を提供する。【解決手段】アノード１３とカソードとに挟持された電解質膜とを有する膜電極接合体２と、燃料を収容する燃料収容部と、燃料収容部に収容された燃料を一時的に収容する燃料タンク３０を備え、燃料タンク３０から燃料を膜電極接合体２のアノードに供給する燃料供給機構と、燃料タンク３０の内圧を制御する補器２００と、を備える。【選択図】図９
2009193930.tif 000002
【特許請求の範囲】
【請求項１】
燃料極と空気極とに挟持された電解質膜とを有する膜電極接合体と、
燃料を収容する燃料収容部と、
前記燃料収容部に収容された燃料を一時的に収容する燃料タンクを備え、前記燃料タンクから燃料を前記膜電極接合体の前記燃料極に供給する燃料供給機構と、
前記燃料タンクの内圧を制御する補器と、
を備えたことを特徴とする燃料電池。
【請求項２】
燃料極と空気極とに挟持された電解質膜とを有する膜電極接合体と、
燃料を収容する燃料収容部と、
前記燃料収容部に収容された燃料を前記膜電極接合体の前記燃料極に供給する燃料供給機構と、
前記膜電極接合体の前記燃料極に連通し前記燃料極の内圧を制御する補器と、
を備えたことを特徴とする燃料電池。
【請求項３】
燃料極と空気極とに挟持された電解質膜とを有する膜電極接合体と、
燃料を収容する燃料収容部と、
前記燃料収容部に収容された燃料を前記膜電極接合体の前記燃料極に供給する燃料供給機構と、
前記膜電極接合体の前記空気極に連通し前記空気極の内圧を制御する補器と、
を備えたことを特徴とする燃料電池。
【請求項４】
燃料極と空気極とに挟持された電解質膜とを有する膜電極接合体と、
燃料を収容する燃料収容部と、
前記燃料収容部に収容された燃料を前記膜電極接合体の前記燃料極に供給する燃料供給機構と、
外部から前記膜電極接合体の内圧を制御する補器と、
を備えたことを特徴とする燃料電池。
【請求項５】
前記補器は、前記燃料タンクの容積を可変する機能を有し、内圧を加圧方向または減圧方向に制御することを特徴とする請求項１に記載の燃料電池。
【請求項６】
さらに、前記膜電極接合体の前記燃料極と外部とを連通する気体及び液体の少なくとも一方の流路を備えたことを特徴とする請求項１乃至４のいずれか１項に記載の燃料電池。
【請求項７】
前記補器は、送液及び送気の少なくとも１つの機能を有し、内圧を加圧方向に制御することを特徴とする請求項１乃至４のいずれか１項に記載の燃料電池。
【請求項８】
前記補器は、吸液及び吸気の少なくとも１つの機能を有し、内圧を減圧方向に制御することを特徴とする請求項１乃至４のいずれか１項に記載の燃料電池。
【請求項９】
前記補器は、液体と気体とを分離する機構を有したことを特徴とする請求項１乃至４のいずれか１項に記載の燃料電池。
【請求項１０】
前記膜電極接合体に供給される燃料は、メタノール濃度が８０ｗｔ％以上のメタノール水溶液または純メタノールであることを特徴とする請求項１に記載の燃料電池。
【発明の詳細な説明】
【技術分野】
【０００１】
この発明は、液体燃料を用いた燃料電池に関する。
【背景技術】
【０００２】
近年、ノートパソコンや携帯電話等の各種携帯用電子機器を長時間充電なしで使用可能とするために、これら携帯用電子機器の電源に燃料電池を用いる試みがなされている。燃料電池は燃料と空気を供給するだけで発電することができ、燃料を補給すれば連続して長時間発電することが可能であるという特徴を有している。このため、燃料電池を小型化できれば、携帯用電子機器の電源として極めて有利なシステムといえる。
【０００３】
例えば、メタノールを燃料として用いた直接メタノール型燃料電池（Ｄｉｒｅｃｔ Ｍｅｔｈａｎｏｌ Ｆｕｅｌ Ｃｅｌｌ：ＤＭＦＣ）は小型化が可能であり、さらに燃料の取り扱いも容易であるため、携帯用電子機器の電源として有望視されている。ＤＭＦＣにおける液体燃料の供給方式としては、気体供給型や液体供給型等のアクティブ方式、また燃料収容部内の液体燃料を電池内部で気化させて燃料極に供給する内部気化型等のパッシブ方式が知られている。
【０００４】
これらのうち、内部気化型等のパッシブ方式はＤＭＦＣの小型化に対して有利である。パッシブ型ＤＭＦＣにおいては、例えば燃料極、電解質膜および空気極を有する膜電極接合体（Ｍｅｍｂｒａｎｅ Ｅｌｅｃｔｒｏｄｅ Ａｓｓｅｍｂｌｙ：ＭＥＡ）を、箱状容器からなる燃料収容部上に配置した構造が提案されている（例えば、特許文献１参照）。また、ＤＭＦＣの燃料電池セルと燃料収容部とを流路を介して接続することも検討されている（例えば、特許文献２及び３参照）。
【０００５】
一方で、燃料電池においては、燃料及び酸化剤の供給を促進することが求められている。このような要求に対して、例えば、酸化剤ガス流路に送気手段を設けて酸化剤ガスを吸引・排出することが提案されている（例えば、特許文献４参照）。
【特許文献１】国際公開第２００５／１１２１７２号パンフレット
【特許文献２】特表２００５−５１８６４６号公報
【特許文献３】特開２００６−０８５９５２号公報
【特許文献４】特開２００１−００６７１７号公報
【発明の開示】
【発明が解決しようとする課題】
【０００６】
パッシブ方式やセミパッシブ方式においては、物質移動のコントロールが困難である。このため、発電反応に必要な物質を適当な反応箇所に効率的に移動させることが困難であり、また、発電反応によって生成した物質を移動させて燃料電池セル外に効率的に除去することも困難である。また、物質の移動が抑制されると、他の物質の移動の障害となり得る。
【０００７】
この発明の目的は、発電反応に関わる物質の移動をコントロールし、発電反応を促進可能とするとともに、長期間安定した出力を得ることが可能であり、長寿命化が可能な燃料電池を提供することにある。
【課題を解決するための手段】
【０００８】
この発明の第１態様による燃料電池は、
燃料極と空気極とに挟持された電解質膜とを有する膜電極接合体と、燃料を収容する燃料収容部と、前記燃料収容部に収容された燃料を一時的に収容する燃料タンクを備え、前記燃料タンクから燃料を前記膜電極接合体の前記燃料極に供給する燃料供給機構と、前記燃料タンクの内圧を制御する補器と、を備えたことを特徴とする。
【０００９】
この発明の第２態様による燃料電池は、
燃料極と空気極とに挟持された電解質膜とを有する膜電極接合体と、燃料を収容する燃料収容部と、前記燃料収容部に収容された燃料を前記膜電極接合体の前記燃料極に供給する燃料供給機構と、前記膜電極接合体の前記燃料極に連通し前記燃料極の内圧を制御する補器と、を備えたことを特徴とする。
【００１０】
この発明の第３態様による燃料電池は、
燃料極と空気極とに挟持された電解質膜とを有する膜電極接合体と、燃料を収容する燃料収容部と、前記燃料収容部に収容された燃料を前記膜電極接合体の前記燃料極に供給する燃料供給機構と、前記膜電極接合体の前記空気極に連通し前記空気極の内圧を制御する補器と、を備えたことを特徴とする。
【００１１】
この発明の第４態様による燃料電池は、
燃料極と空気極とに挟持された電解質膜とを有する膜電極接合体と、燃料を収容する燃料収容部と、前記燃料収容部に収容された燃料を前記膜電極接合体の前記燃料極に供給する燃料供給機構と、外部から前記膜電極接合体の内圧を制御する補器と、を備えたことを特徴とする。
【発明の効果】
【００１２】
この発明によれば、発電反応に関わる物質の移動をコントロールし、発電反応を促進可能とするとともに、長期間安定した出力を得ることが可能であり、長寿命化が可能な燃料電池を提供することができる。
【発明を実施するための最良の形態】
【００１３】
以下、この発明の一実施の形態に係る燃料電池について図面を参照して説明する。
【００１４】
まず、この発明における燃料電池の特長について説明する。
【００１５】
図１Ａに示した例の燃料電池は、発電部（ないしそれに順ずる空間も含む）１００と、一つ以上の補器２００と、を具備する。ここに示した例では、補器２００は、発電部１００に接続されているが、補器２００を具備する位置は任意であり、物質の授受の促進ａｎｄ／ｏｒ抑制、物質拡散の促進ａｎｄ／ｏｒ抑制等を内部環境の変化により可能にする全ての付属位置を含む。
【００１６】
図１Ｂに示した例の燃料電池は、発電部（ないしそれに順ずる空間も含む）１００と、一つ以上の補器２００と、発電部１００を包括するａｎｄ／ｏｒ被覆する周辺機器３００と、を具備する。ここに示した例では、補器２００は、周辺機器３００に接続されているが、図１Ａに示した例と同様に、補器２００を具備する位置は任意である。
【００１７】
図１Ｃに示した例の燃料電池は、発電部（ないしそれに順ずる空間も含む）１００と、一つ以上の補器２００と、発電部１００に対する非直接関係部４００と、を具備する。ここに示した例では、補器２００は、非直接関係部４００に接続されているが、図１Ａに示した例と同様に、補器２００を具備する位置は任意である。
【００１８】
図２及び図３は、図１Ａに示した例の燃料電池において、補器２００の作動と環境・物質存在割合等の変化の関係を示す一例である。これらの図中においてグラフの縦軸は環境・物質存在等変化割合等を示し、図中においてグラフの横軸は、補器作動時間等補器による影響存続状態を示している。
【００１９】
図２に示すように、補器２００が作動イメージ（吸液または吸気）２０１のように作動する時、発電部ないしそれに順ずる空間１００における、環境等変化、物質存在割合変化イメージ線がグラフの実線や点線で示すように変化する。例えば、内圧等環境は実線で示すように変化する時、空間１００からの流入等により、物質の存在量は点線で示すように変化する。
【００２０】
図３に示すように、補器２００が作動イメージ（送液または送気）２０２のように作動する時、発電部ないしそれに順ずる空間１００における、環境等変化、物質存在割合変化イメージ線がグラフの実線や点線で示すように変化する。例えば、内圧等環境は実線で示すように変化する時、空間１００からの流入等により、物質の存在量は点線で示すように変化する。
【００２１】
図４に示した例の燃料電池は、発電部の空間１００内に膜電極接合体２を含み、さらに、一つ以上の補器２００を具備する。補器２００を具備する位置は任意である。この補器２００は、少なくとも減圧ａｎｄ／ｏｒ吸液ａｎｄ／ｏｒ吸気等の機能を有している。
【００２２】
作動イメージ２０３の様に補器２００が作動したとき、空間１００及びそれに含まれる内部環境が変化すると、外部空間５００から、発電反応に関わる物質（図４では例として酸素（Ｏ２））が空間１００内及び膜電極接合体２にも流入することとなる。また、空間１００内にある膜電極接合体２内部でも、発電反応に関わる物質（図４では水（Ｈ２Ｏ）がカソードからアノードへと移動する。
【００２３】
このように、空間１００の内部環境（主として内圧、その他環境因子も含む）を変化させることで、能動的に、カソード側から電解質膜やアノード側への物質移動を促進ａｎｄ／ｏｒ抑制することを可能にする。
【００２４】
図５に示した例の燃料電池は、発電部の空間１００内に膜電極接合体２を含み、さらに、一つ以上の補器２００を具備する。補器２００を具備する位置は任意である。この補器２００は、少なくとも加圧ａｎｄ／ｏｒ送液ａｎｄ／ｏｒ送気等の機能を有している。
【００２５】
作動イメージ２０４の様に補器２００が作動したとき、空間１００及びそれに含まれる内部環境が変化すると、発電反応に関わる物質（図５では例として二酸化炭素（ＣＯ２））が空間１００内から外部空間５００に排出されることとなる。
【００２６】
このように、空間１００の内部環境（主として内圧、その他環境因子も含む）を変化させることで、能動的に、アノード側からカソード側への物質移動を促進することを可能にする。
【００２７】
上述した例に適用可能な補器２００としては、送液、送気、吸液、及び、吸気の少なくとも１つの機能を有しており、内圧を加圧方向または減圧方向に制御する機能を有したものであって、例えば、ポンプや、逆止弁、各種制御バルブなどを適用可能である。
【００２８】
また、同一機能を有する補器２００を複数具備しても良いし、相異なる機能を有する複数の補器２００を具備しても良い。
【００２９】
また、例えば、膜電極接合体２に燃料を供給する燃料供給用の補器２００を一時的に、吸気ａｎｄ／ｏｒ吸液等、他の機能を発現させて使用する構成としても良い。
【００３０】
また、相異なる機能を有する複数個の補器２００を具備する場合において、二つの補器が、それぞれを逆位相等ある相関を以って運転する制御方法を適用しても良い。
【００３１】
ここで、補器２００の具備位置は、同様の効果が得られれば特に限定はされない。
【００３２】
次に、この発明における燃料電池の具体的な構成についてより詳細に説明する。
【００３３】
≪基本構成≫
図６は、この実施の形態に係る燃料電池１の構造を概略的に示す断面図である。
【００３４】
燃料電池１は、発電部を構成する膜電極接合体（ＭＥＡ）２と、膜電極接合体２に燃料を供給する燃料供給機構３と、液体燃料を収容する燃料収容部４とから主として構成されている。
【００３５】
すなわち、燃料電池１において、膜電極接合体２は、アノード触媒層１１とアノードガス拡散層１２とを有するアノード（燃料極）１３と、カソード触媒層１４とカソードガス拡散層１５とを有するカソード（空気極／酸化剤極）１６と、アノード触媒層１１とカソード触媒層１４とで挟持されたプロトン（水素イオン）伝導性の電解質膜１７とを備えて構成されている。
【００３６】
アノード触媒層１１やカソード触媒層１４に含有される触媒としては、例えば白金（Ｐｔ）、ルテニウム（Ｒｕ）、ロジウム（Ｒｈ）、イリジウム（Ｉｒ）、オスミウム（Ｏｓ）、パラジウム（Ｐｄ）等の白金族元素の単体、白金族元素を含有する合金等が挙げられる。アノード触媒層１１には、メタノールや一酸化炭素等に対して強い耐性を有するＰｔ−ＲｕやＰｔ−Ｍｏ等を用いることが好ましい。カソード触媒層１４には、ＰｔやＰｔ−Ｎｉ等を用いることが好ましい。ただし、触媒は、これらに限定されるものではなく、触媒活性を有する各種の物質を使用することができる。また、触媒は、炭素材料のような導電性担持体を使用した担持触媒、あるいは無担持触媒のいずれであってもよい。
【００３７】
電解質膜１７を構成するプロトン伝導性材料としては、例えばスルホン酸基を有するパーフルオロスルホン酸重合体のようなフッ素系樹脂（ナフィオン（商品名、デュポン社製）やフレミオン（商品名、旭硝子社製）等）、スルホン酸基を有する炭化水素系樹脂等の有機系材料、あるいはタングステン酸やリンタングステン酸等の無機系材料が挙げられる。ただし、プロトン伝導性の電解質膜１７は、これらに限られるものではない。
【００３８】
アノード触媒層１１に積層されるアノードガス拡散層１２は、アノード触媒層１１に燃料を均一に供給する役割を果たすと同時に、アノード触媒層１１の集電機能を有するものである。カソード触媒層１４に積層されるカソードガス拡散層１５は、カソード触媒層１４に酸化剤を均一に供給する役割を果たすと同時に、カソード触媒層１４の集電機能を有するものである。アノードガス拡散層１２及びカソードガス拡散層１５は、例えばカーボンペーパーなどの導電性を有する多孔質基材で構成されている。
【００３９】
なお、図７及び図８に示した例においては、膜電極接合体２は、単一の電解質膜１７を４個のアノード１３及び４個のカソード１６によってそれぞれ挟持し、これらのアノード１３とカソード１６との各組み合わせが単セルＣをなす構造のものを示している。ここでは、単セルＣのそれぞれは、電解質膜１７の平面内において、分離して配置されている。なお、膜電極接合体２の構造は、この例に限らず他の構造であっても良い。例えば、膜電極接合体２は、単一の電解質膜１７を挟んで単一のアノード１３と単一のカソード１６とを組み合わせた構造であってもよい。
【００４０】
図７及び図８に示したような複数の単セルＣを有する膜電極接合体２においては、集電体１８によって各単セルＣを直列に電気的に接続されている。単一の単セルＣによって構成された膜電極接合体２に対しては、特に、集電体は不要である。
【００４１】
このような集電体１８は、アノード集電体１８Ａ及びカソード集電体１８Ｃを有している。アノード集電体１８Ａは、アノードガス拡散層１２に積層されている。また、カソード集電体１８Ｃは、カソードガス拡散層１５に積層されている。アノード集電体１８Ａ及びカソード集電体１８Ｃとしては、例えば金（Ａｕ）、ニッケル（Ｎｉ）などの金属材料からなる多孔質層（例えばメッシュ）または箔体、あるいはステンレス鋼（ＳＵＳ）などの導電性金属材料に金などの良導電性金属を被覆した複合材などをそれぞれ使用することができる。
【００４２】
膜電極接合体２は、電解質膜１７のアノード側及びカソード側にそれぞれ配置されたゴム製のＯリング等のシール部材１９によってシールされており、これにより、膜電極接合体２からの燃料漏れや酸化剤漏れが防止されている。
【００４３】
膜電極接合体２のカソード１６側には、絶縁材料によって形成された板状体２０が配置されている。図６に示した例では、板状体２０は、カソード集電体１８Ｃの上に配置されている。
【００４４】
この板状体２０は、主に保湿層として機能する。すなわち、この板状体２０は、カソード触媒層１４で生成された水の一部が含浸されて水の蒸散を抑制するとともに、カソード触媒層１４への空気の取入れ量を調整し且つ空気の均一拡散を促進するものである。この板状体２０は、カソードガス拡散層１５より熱伝導率が低い絶縁層あるいはそれに順ずる高抵抗の層であり、たとえば多孔質構造の部材で構成され、具体的な構成材料としては、ポリエチレンやポリプロピレンの多孔質体などが挙げられる。
【００４５】
上述した膜電極接合体２は、燃料供給機構３とカバープレート２１との間に配置されている。カバープレート２１は、外観が略矩形状のものであり、例えばステンレス鋼（ＳＵＳ）によって形成されている。また、カバープレート２１は、酸化剤である空気を取入れるための複数の開口部（空気導入孔）２１Ａを有している。
【００４６】
燃料供給機構３は、箱状に形成され燃料を一時的に収容可能な燃料タンク３０を備え、燃料収容部４と流路５を介して接続されている。すなわち、燃料タンク３０は、燃料導入口３１を有しており、この燃料導入口３１と流路５とが接続されている。
【００４７】
この燃料タンク３０は、例えば樹脂製容器によって構成される。燃料タンク３０を形成する材料としては、耐メタノール性などを有していることが好ましい。燃料タンク３０を形成する樹脂材料としては、例えばポリエチレンナフタレート、ポリエチレンテレフタレート、環状オレフィンコポリマー、シクロオレフィンポリマー、ポリメチルペンテン、ポリフェニルサルホンなどが挙げられる。ただし、一般的なポリエチレン樹脂やポリプロピレン樹脂などのオレフィン系樹脂などで構成した燃料タンク３０を除外するものではない。
【００４８】
この燃料タンク３０は、膜電極接合体２のアノード１３の面方向に燃料を分散並びに拡散させつつ供給するように構成されている。すなわち、燃料タンク３０は、燃料導入口３１に連通した複数の燃料排出口３３を有している。このような燃料排出口３３は、主として燃料の気化成分を排出する。
【００４９】
なお、この燃料タンク３０は、１つの燃料注入口と複数の燃料排出口とを細管によって連通した構成の燃料分配板に置換しても良い。このような燃料分配板を使用した場合、燃料注入口から注入された液体燃料は、複数に分岐した細管を介して複数の燃料排出口にそれぞれ導かれ、液体燃料を方向や位置に係わりなく、複数の燃料排出口に均等に分配することができる。従って、膜電極接合体２の面内における発電反応の均一性をより一層高めることが可能となる。
【００５０】
膜電極接合体２は、そのアノード１３が上述したような燃料タンク３０の燃料排出口３３に対向するように配置されている。カバープレート２１は、燃料供給機構３との間に膜電極接合体２を保持した状態で燃料タンク３０に対してカシメあるいはネジ止めなどの手法により固定されている。これにより、燃料電池（ＤＭＦＣ）１の発電ユニットが構成されている。
【００５１】
燃料タンク３０は、燃料拡散室３０Ａとして機能する空間を有するような構成であることが望ましい。この燃料拡散室３０Ａは、液体燃料の気化を促進するとともに、面方向への拡散を促進する機能を有している。
【００５２】
膜電極接合体２と燃料タンク３０との間には、膜電極接合体２をアノード１３側から支持する支持部材を配置しても良い。
【００５３】
膜電極接合体２と燃料タンク３０との間には、少なくとも１つの多孔体を配置しても良い。
【００５４】
燃料収容部４には、膜電極接合体２に応じた液体燃料が収容されている。
【００５５】
液体燃料としては、各種濃度のメタノール水溶液や純メタノール等のメタノール燃料が挙げられる。なお、液体燃料は、必ずしもメタノール燃料に限られるものではない。液体燃料は、例えば、エタノール水溶液や純エタノール等のエタノール燃料、プロパノール水溶液や純プロパノール等のプロパノール燃料、グリコール水溶液や純グリコール等のグリコール燃料、ジメチルエーテル、ギ酸、その他の液体燃料であってもよい。いずれにしても、燃料収容部４には、膜電極接合体２に応じた液体燃料が収容される。
【００５６】
さらに、流路５には、ポンプ６が介在していても良い。ポンプ６は、燃料を循環させる循環ポンプではなく、あくまでも燃料収容部４から燃料タンク３０に液体燃料を送液する燃料供給ポンプである。燃料タンク３０から膜電極接合体２に供給された燃料は、発電反応に使用され、その後に循環して燃料収容部４に戻されることはない。
【００５７】
この実施の形態の燃料電池１は、燃料を循環しないことから、従来のアクティブ方式とは異なるものであり、装置の小型化等を損なうものではない。また、液体燃料の供給にポンプ６を使用しており、従来の内部気化型のような純パッシブ方式とも異なる。図６に示す燃料電池１は、例えばセミパッシブ型と呼称される方式を適用したものである。
【００５８】
ポンプ６の種類は、特に限定されるものではないが、少量の液体燃料を制御性よく送液することができ、さらに小型軽量化が可能という観点から、ロータリーベーンポンプ、電気浸透流ポンプ、ダイアフラムポンプ、しごきポンプ等を使用することが好ましい。
【００５９】
ロータリーベーンポンプは、モータで羽を回転させて送液するものである。電気浸透流ポンプは、電気浸透流現象を起こすシリカ等の焼結多孔体を用いたものである。ダイアフラムポンプは、電磁石や圧電セラミックスによりダイアフラムを駆動して送液するものである。しごきポンプは、柔軟性を有する燃料流路の一部を圧迫し、燃料をしごき送るものである。これらのうち、駆動電力や大きさ等の観点から、電気浸透流ポンプや圧電セラミックスを有するダイアフラムポンプを使用することがより好ましい。
【００６０】
なお、ポンプ６と燃料タンク３０との間にリザーバを設けてもよい。
【００６１】
また、燃料電池１の安定性や信頼性を高めるために、ポンプ６と直列に燃料遮断バルブを配置してもよい。燃料遮断バルブには、電磁石、モータ、形状記憶合金、圧電セラミックス、バイメタル等をアクチュエータとして、開閉動作を電気信号で制御することが可能な電気駆動バルブが適用される。燃料遮断バルブは、状態保持機能を有するラッチタイプのバルブであることが好ましい。
【００６２】
また、燃料収容部４や流路５には、燃料収容部４内の圧力を外気とバランスさせるバランスバルブを装着してもよい。燃料収容部４から燃料供給機構３で膜電極接合体２に燃料を供給する場合、ポンプ６に代えて燃料遮断バルブのみを配置した構成とすることも可能である。この際の燃料遮断バルブは、流路５による液体燃料の供給を制御するために設けられるものである。
【００６３】
この実施の形態の燃料電池１においては、ポンプ６を用いて燃料収容部４から燃料タンク３０に液体燃料が間欠的に送液される。ポンプ６で送液された液体燃料は、燃料タンク３０を経て膜電極接合体２のアノード１３の全面に対して均一に供給される。
【００６４】
すなわち、複数の単セルＣの各アノード１３の平面方向に対して均一に燃料が供給され、これにより発電反応が生起される。燃料供給用（送液用）のポンプ６の運転動作は、燃料電池１の出力、温度情報、電力供給先である電子機器の運転情報等に基づいて制御することが好ましい。
【００６５】
上述したように、燃料タンク３０から放出された燃料は、膜電極接合体２のアノード１３に供給される。膜電極接合体２内において、燃料は、アノードガス拡散層１２を拡散してアノード触媒層１１に供給される。液体燃料としてメタノール燃料を用いた場合、アノード触媒層１１で下記の（１）式に示すメタノールの内部改質反応が生じる。なお、メタノール燃料として純メタノールを使用した場合には、カソード触媒層１４で生成した水や電解質膜１７中の水をメタノールと反応させて（１）式の内部改質反応を生起させる。あるいは、水を必要としない他の反応機構により内部改質反応を生じさせる。
【００６６】
ＣＨ3ＯＨ＋Ｈ2Ｏ  →  ＣＯ2＋６Ｈ+＋６ｅ-  …（１）
この反応で生成した電子（ｅ-）は、集電体１８を経由して外部に導かれ、いわゆる電気として携帯用電子機器等を動作させた後、集電体１８を経由してカソード１６に導かれる。（１）式の内部改質反応で生成したプロトン（Ｈ+）は、電解質膜１７を経てカソード１６に導かれる。カソード１６には、酸化剤として空気が供給される。カソード１６に到達した電子（ｅ-）とプロトン（Ｈ+）は、カソード触媒層１４で空気中の酸素と下記の（２）式にしたがって反応し、この反応に伴って水が生成する。
【００６７】
６ｅ-＋６Ｈ+＋（３／２）Ｏ2  →  ３Ｈ2Ｏ  …（２）
上述した燃料電池１の発電反応において、発電する電力を増大させるためには触媒反応を円滑に行わせるとともに、膜電極接合体２の電極全体をより有効に発電に寄与させることが重要となる。
【００６８】
次に、上述した基本構成の燃料電池に適用可能な実施形態について説明する。なお、以下に説明する各実施形態においては、主要部のみを図示し、基本構成と同一構成については同一の参照符号を付して詳細な説明を省略する。
【００６９】
≪第１実施形態；燃料タンク≫
第１実施形態に係る燃料電池は、図９に示すように、燃料供給機構３における燃料タンク３０の内圧を制御する補器２００を備えている。この補器２００は、流路５と燃料タンク３０との間に配置されるものであり、少なくとも流路５を介して供給された液体燃料を燃料タンク３０に向けて送液する機能を有している。
【００７０】
膜電極接合体２は、アノード１３を構成するアノードガス拡散層１２が燃料タンク３０の燃料排出口３３に重なるように配置されている。アノード１３は、発電時において、発電反応に必要な水をある程度含んでいる。このため、発電時においては、燃料タンク３０内の空間すなわち燃料拡散室３０Ａはある程度気密に保持されている。
【００７１】
このような環境下において、補器２００が液体燃料を燃料タンク３０に送液する場合について考える。この場合、実質的に燃料拡散室３０Ａの容積が小さくなり、燃料タンク３０の内圧（つまり、燃料拡散室３０Ａの圧力）が高まる。つまり、補器２００は、液体燃料の送液により燃料タンク３０の内圧を加圧方向に制御することが可能となる。
【００７２】
これにより、燃料拡散室３０Ａ内の気体（空気、燃料の気化成分、アノード１３において生成した二酸化炭素、水蒸気など）が液体燃料を加圧し、液体燃料の蒸散を促進するとともに、液体燃料の拡散を促進することが可能となる。加えて、発電反応によって生成した物質のうち、不要物質、例えば二酸化炭素の系外への排出を促進することも可能となる。
【００７３】
この場合、図９に示した例のように、アノード１３と外部とを連通する流路４０を設けることにより、アノード１３側から外部に向けて気体を効率的に排出する経路を確保することが可能となる。
【００７４】
図１０に示した例では、補器２００に加えて、燃料タンク３０の燃料拡散室３０Ａと外部とを連通する補器２１０を設けている。この補器２１０は、燃料拡散室３０Ａから気体を吸気する機能を有している。このような補器２１０により、アノード１３側から外部に向けて気体を効率的に排出する経路を確保することが可能となる。このため、アノード１３において生成した二酸化炭素を外部に排出することを可能とするとともに、燃料拡散室３０Ａが過加圧状態となったときのガス抜きを可能としている。このような補器２１０を設けた場合には、図９に示した例のような流路４０を必ずしも必要としない。
【００７５】
図１１に示した例では、補器２００は、燃料タンク３０の容積を可変する機能を有するものである。
【００７６】
発電時において、アノード１３がある程度含み、且つ、流路５が閉状態あるいは燃料供給状態あるとき、燃料拡散室３０Ａはある程度気密に保持されている。
【００７７】
このような環境下において、補器２００が燃料タンク３０の容積を縮小するように作動すると、実質的に燃料拡散室３０Ａの容積が小さくなり、燃料タンク３０の内圧（つまり、燃料拡散室３０Ａの圧力）が高まる。つまり、補器２００は、燃料タンク３０の容積を縮小することにより燃料タンク３０の内圧を加圧方向に制御することが可能となる。
【００７８】
これにより、燃料拡散室３０Ａ内の気体が液体燃料を加圧し、液体燃料の蒸散を促進するとともに、液体燃料の拡散を促進することが可能となる。加えて、発電反応によって生成した物質のうち、不要物質、例えば二酸化炭素の系外への排出を促進することも可能となる。
【００７９】
この場合にも、アノード１３と外部とを連通する流路４０を設けてもよいし、図１０に示した例と同様に、補器２００に加えて、燃料タンク３０の燃料拡散室３０Ａと外部とを連通する補器２１０を設けても良い。
【００８０】
上述した各例では、燃料タンク３０の内圧を加圧方向に制御する場合について説明したが、次に示す例では、燃料タンク３０の内圧を減圧方向に制御する場合について説明する。
【００８１】
すなわち、図１５に示すように、燃料電池は、燃料供給機構３における燃料タンク３０の内圧を制御する補器２００を備えている。この補器２００は、燃料タンク３０の燃料拡散室３０Ａと連通するように配置され、少なくとも燃料拡散室３０Ａ内の気体を燃料タンク外に向けて吸気する機能を有している。
【００８２】
発電時においては、燃料タンク３０内の燃料拡散室３０Ａはある程度気密に保持されている状態では、燃料拡散室３０Ａに充満した気体（空気、燃料の気化成分、アノード１３において生成した二酸化炭素、水蒸気など）が燃料タンク外に排気されることにより、燃料タンク３０の内圧（つまり、燃料拡散室３０Ａの圧力）が低減する。つまり、補器２００は、燃料拡散室の気体の吸気により燃料タンク３０の内圧を減圧方向に制御することが可能となる。
【００８３】
これにより、カバープレート２１及び板状体２０を介して外部からカソード１６に向けて発電反応に必要な物質、例えば、酸素や水蒸気（あるいは水）の取り込みを促進することができ、また、カソード１６において、発電反応で生成した水のカソード側からアノード側への拡散を促進することが可能となり、アノード１３において燃料（メタノール）との反応を促進することが可能となる。
【００８４】
また、燃料拡散室３０Ａを介して発電反応に不要な物質、例えばアノード１３において生成した二酸化炭素の系外への排出を促進することも可能となる。
【００８５】
図１６に示した例では、補器２００は、燃料タンク３０から液体を外部に向けて吸液する機能を有している。
【００８６】
発電時においては、燃料タンク３０内の燃料拡散室３０Ａはある程度気密に保持されている状態では、燃料タンク３０内の液体（主として液体燃料であるが、アノード１３において生成した水が含まれる場合もある）が燃料タンク外に排出されることにより、燃料タンク３０の内圧が低減する。つまり、補器２００は、燃料タンクの液体の吸液により燃料タンク３０の内圧を減圧方向に制御することが可能となる。
【００８７】
これにより、カバープレート２１及び板状体２０を介して外部からカソード１６に向けて発電反応に必要な物質、例えば、酸素や水蒸気（あるいは水）の取り込みを促進することができ、また、カソード１６において、発電反応で生成した水のカソード側からアノード側への拡散を促進することが可能となり、アノード１３において燃料（メタノール）との反応を促進することが可能となる。
【００８８】
また、燃料拡散室３０Ａを介して発電反応に不要な物質、例えばアノード１３において生成した二酸化炭素の系外への排出を促進することも可能となる。
【００８９】
さらに、燃料タンク３０内の液体が純粋な液体燃料ではなく、アノード１３において生成した水が含まれる場合、発電反応の進行によって燃料タンク３０内の液体燃料が希釈されることがあるが、燃料タンク３０内の液体を外部に吸液することにより、液体燃料のみならず、水も外部に排出されるため、燃料タンク３０内の液体燃料の過度の希釈を抑制することが可能となる。
【００９０】
この場合、燃料タンク３０の外部に排出した液体は、液体燃料とその他の物質例えば水とを分離する機能を有した分離機構により分離して回収することが望ましい。
【００９１】
図１７に示した例では、補器２００は、燃料タンク３０の容積を可変する機能を有するものである。
【００９２】
発電時においては、燃料タンク３０内の燃料拡散室３０Ａはある程度気密に保持されている状態では、補器２００が燃料タンク３０の容積を拡大するように作動すると、実質的に燃料拡散室３０Ａの容積が大きくなり、燃料タンク３０の内圧が低減する。つまり、補器２００は、燃料タンク３０の容積を拡大することにより燃料タンク３０の内圧を減圧方向に制御することが可能となる。
【００９３】
これにより、カバープレート２１及び板状体２０を介して外部からカソード１６に向けて発電反応に必要な物質、例えば、酸素や水蒸気（あるいは水）の取り込みを促進することができ、また、カソード１６において、発電反応で生成した水のカソード側からアノード側への拡散を促進することが可能となり、アノード１３において燃料（メタノール）との反応を促進することが可能となる。
【００９４】
また、燃料拡散室３０Ａを介して発電反応に不要な物質、例えばアノード１３において生成した二酸化炭素の系外への排出を促進することも可能となる。
【００９５】
≪第２実施形態；アノード≫
第２実施形態に係る燃料電池は、図１２に示すように、膜電極接合体２のアノード１３に連通しアノード１３の内圧を制御する補器２００を備えている。この補器２００は、例えば、アノードガス拡散層１２に接続され、気体（空気、水蒸気など）をアノード１３に向けて送気する機能、あるいは液体（水）をアノード１３に向けて送液する機能を有している。
【００９６】
発電時において、補器２００がアノード１３に向けて気体を送気した場合、アノード１３の内圧が高まる。つまり、補器２００は、気体の送気によりアノード１３の内圧を加圧方向に制御することが可能となる。また、同時に、流路５が閉状態あるいは燃料供給状態あるときには、燃料タンク３０の内圧が高まる。
【００９７】
また、発電時において、補器２００がアノードガス拡散層１２に向けて水を送液した場合、アノード１３内での気体の逃げ道がなくなりあるいは縮小され、アノード１３の内圧が高まる。つまり、補器２００は、液体の送液によりアノード１３の内圧を加圧方向に制御することが可能となる。また、同時に、流路５が閉状態あるいは燃料供給状態あるときには、燃料タンク３０はある程度気密に保持されており、液体燃料の気化成分が燃料拡散室３０Ａ内に充満すると、燃料タンク３０の内圧が高まる。
【００９８】
これにより、燃料拡散室３０Ａ内の気体が液体燃料を加圧し、液体燃料の蒸散を促進するとともに、液体燃料の拡散を促進することが可能となる。加えて、発電反応によって生成した物質のうち、不要物質、例えば二酸化炭素の系外への排出を促進することも可能となる。
【００９９】
上述した各例では、膜電極接合体２においてアノード１３側の内圧を加圧方向に制御する場合について説明したが、次に示す例では、アノード１３側の内圧を減圧方向に制御する場合について説明する。
【０１００】
すなわち、図１８に示すように、燃料電池は、膜電極接合体２のアノード１３に連通しアノード１３の内圧を制御する補器２００を備えている。この補器２００は、例えば、アノードガス拡散層１２に接続され、アノード１３から外部に向けて気体（空気、水蒸気、二酸化炭素など）を吸気する機能、あるいは、アノード１３から外部に向けて液体（発電反応に寄与しない水など）を吸液する機能を有している。
【０１０１】
発電時において、補器２００がアノード１３から気体を吸気または液体を吸液した場合、アノード１３の内圧が低減する。つまり、補器２００は、気体の吸気あるいは液体の吸液によりアノード１３の内圧を減圧方向に制御することが可能となる。
【０１０２】
これにより、カバープレート２１及び板状体２０を介して外部からカソード１６に向けて発電反応に必要な物質、例えば、酸素や水蒸気（あるいは水）の取り込みを促進することができ、また、カソード１６において、発電反応で生成した水のカソード側からアノード側への拡散を促進することが可能となり、アノード１３において燃料（メタノール）との反応を促進することが可能となる。
【０１０３】
また、燃料タンク３０が減圧されて、液体燃料の蒸散を促進するとともに、液体燃料の拡散を促進することが可能となる。
【０１０４】
加えて、補器２００が気体を吸気する場合には、発電反応によって生成した物質のうち、不要物質、例えば二酸化炭素の系外への排出を促進することも可能となる。
【０１０５】
≪第３実施形態；カソード≫
第３実施形態に係る燃料電池は、図１３に示すように、膜電極接合体２のカソード１６に連通しカソード１６の内圧を制御する補器２００を備えている。この補器２００は、例えば、カソードガス拡散層１５に接続され、少なくとも気体である空気、酸素、水蒸気をカソード１６に向けて送気するあるいは液体である水をカソード１６に向けて送液する機能を有している。
【０１０６】
発電時において、補器２００がカソード１６に向けて気体を送気した場合、カソード１６の内圧が高まる。つまり、補器２００は、気体の送気によりカソード１６の内圧を加圧方向に制御することが可能となる。
【０１０７】
また、発電時において、補器２００がカソードガス拡散層１５に向けて水を送液した場合、カソード１６内での気体の逃げ道がなくなりあるいは縮小され、カソード１６の内圧が高まる。つまり、補器２００は、液体の送液によりカソード１６の内圧を加圧方向に制御することが可能となる。
【０１０８】
これにより、カソード１６において、発電反応で生成した水のカソード側からアノード側への拡散を促進することが可能となり、アノード１３において燃料（メタノール）との反応を促進することが可能となる。また、カソード１６において、発電反応で生成した水のうち、アノード１３での反応に不要な過剰な水の系外への蒸散を促進することが可能となる。
【０１０９】
また、アノード１３への水の拡散が促進されることにより、アノードガス拡散層１２が水を含み、また、流路５が閉状態あるいは燃料供給状態あるときには、燃料タンク３０はある程度気密に保持されており、液体燃料の気化成分が燃料拡散室３０Ａ内に充満すると、燃料タンク３０の内圧が高まる。
【０１１０】
これにより、燃料拡散室３０Ａ内の気体が液体燃料を加圧し、液体燃料の蒸散を促進するとともに、液体燃料の拡散を促進する。加えて、発電反応によって生成した物質のうち、不要物質、例えば二酸化炭素の系外への排出を促進することも可能となる。
【０１１１】
上述した各例では、膜電極接合体２においてカソード１６側の内圧を加圧方向に制御する場合について説明したが、次に示す例では、カソード１６側の内圧を減圧方向に制御する場合について説明する。
【０１１２】
すなわち、図１９に示すように、燃料電池は、膜電極接合体２のカソード１６に連通しカソード１６の内圧を制御する補器２００を備えている。この補器２００は、例えば、カソードガス拡散層１５に接続され、カソード１６から外部に向けて気体（空気、水蒸気、二酸化炭素など）を吸気する機能、あるいは、カソード１６から外部に向けて液体（発電反応で生成した過剰な水など）を吸液する機能を有している。なお、この構成の場合、補器２００は、カソード触媒層１４に接続しても良い。
【０１１３】
発電時において、補器２００がカソード１６から気体を吸気または液体を吸液した場合、カソード１６の内圧が低減する。つまり、補器２００は、気体の吸気あるいは液体の吸液によりカソード１６の内圧を減圧方向に制御することが可能となる。
【０１１４】
これにより、カバープレート２１及び板状体２０を介して外部からカソード１６に向けて発電反応に必要な物質、例えば、酸素や水蒸気（あるいは水）の取り込みを促進することが可能となる。
【０１１５】
また、燃料タンク３０が減圧されて、液体燃料の蒸散を促進するとともに、液体燃料の拡散を促進することが可能となる。
【０１１６】
加えて、補器２００が気体を吸気する場合には、発電反応によって生成した物質のうち、不要物質、例えば二酸化炭素の系外への排出を促進することも可能となる。
【０１１７】
図２０に示した例では、補器２００は、カソード１６に接続され、カソード１６から外部に向けて気体（空気、水蒸気、二酸化炭素など）を吸気する機能とともにカソード１６から外部に向けて発電反応で生成した水を吸液する機能を有している。また、この補器２００は、カソード１６から吸収した気体と水とを分離する機構を備えている。さらに、この補器２００は、アノード１３または電解質膜１７に接続され、分離した水をアノード１３に向けて送液する機能を有している。
【０１１８】
これにより、図１９に示した例で得られる物質移動の促進に加え、カソード１６において発電反応で生成した水をアノード１３に供給することが可能となり、アノード１３において燃料（メタノール）との反応を促進することが可能となる。
【０１１９】
≪第４実施形態；カソード外≫
第４実施形態に係る燃料電池は、図１４に示すように、系外から膜電極接合体２の内圧を制御する補器２００を備えている。この補器２００は、例えば、カバープレート２１の開口部２１Ａを介して板状体２０に接続され、気体（空気、酸素、水蒸気など）をカソード１６に向けて送気するあるいは液体である水をカソード１６に向けて送液する機能を有している。なお、この補器２００は、板状体２０を貫通してカソードガス拡散層１５に接続しても良い。
【０１２０】
発電時において、補器２００がカソード１６に向けて気体を送気した場合、膜電極接合体２におけるカソード側の内圧が高まる。つまり、補器２００は、気体の送気により膜電極接合体２におけるカソード１６の内圧を加圧方向に制御することが可能となる。
【０１２１】
また、発電時において、補器２００が板状体２０に向けて水を送液した場合、カソード１６内での気体の逃げ道がなくなりあるいは縮小され、カソード１６の内圧が高まる。つまり、補器２００は、液体の送液によりカソード１６の内圧を加圧方向に制御することが可能となる。
【０１２２】
これにより、カソード１６において、発電反応で生成した水のカソード側からアノード側への拡散を促進することが可能となり、アノード１３において燃料（メタノール）との反応を促進することが可能となる。また、カソード１６において、発電反応で生成した水のうち、アノード１３での反応に不要な過剰な水の系外への蒸散を促進することが可能となる。
【０１２３】
また、アノード１３への水の拡散が促進されることにより、アノードガス拡散層１２が水を含み、また、流路５が閉状態あるいは燃料供給状態あるときには、燃料タンク３０はある程度気密に保持されており、液体燃料の気化成分が燃料拡散室３０Ａ内に充満すると、燃料タンク３０の内圧が高まる。
【０１２４】
これにより、燃料拡散室３０Ａ内の気体が液体燃料を加圧し、液体燃料の蒸散を促進するとともに、液体燃料の拡散を促進する。加えて、発電反応によって生成した物質のうち、不要物質、例えば二酸化炭素の系外への排出を促進することも可能となる。
【０１２５】
上述した各例では、膜電極接合体２においてカソード１６側の内圧を加圧方向に制御する場合について説明したが、次に示す例では、膜電極接合体２の内圧を減圧方向に制御する場合について説明する。
【０１２６】
すなわち、図２１に示すように、燃料電池は、系外から膜電極接合体２の内圧を制御する補器２００を備えている。この補器２００は、例えば、カバープレート２１の開口部２１Ａを介して板状体２０に接続され、カソード１６から外部に向けて気体（空気、酸素、水蒸気、二酸化炭素など）を吸気する機能、あるいは、カソード１６から外部に向けて液体（発電反応で生成した過剰な水など）を吸液する機能を有している。なお、この補器２００は、板状体２０を貫通してカソードガス拡散層１５に接続しても良い。
【０１２７】
発電時において、補器２００がカソード１６から気体を吸気または液体を吸液した場合、膜電極接合体２のカソード側の内圧が低減する。つまり、補器２００は、気体の吸気あるいは液体の吸液により膜電極接合体２のカソード１６の内圧を減圧方向に制御することが可能となる。
【０１２８】
これにより、カバープレート２１及び板状体２０を介して外部からカソード１６に向けて発電反応に必要な物質、例えば、酸素や水蒸気（あるいは水）の取り込みを促進することが可能となる。
【０１２９】
また、燃料タンク３０が減圧されて、液体燃料の蒸散を促進するとともに、液体燃料の拡散を促進することが可能となる。
【０１３０】
加えて、補器２００が気体を吸気する場合には、発電反応によって生成した物質のうち、不要物質、例えば二酸化炭素の系外への排出を促進することも可能となる。
【０１３１】
図２２に示した例では、補器２００は、アノード１３と外部とを連通する流路４０に接続され、膜電極接合体２のアノード側から外部に向けて気体（空気、酸素、水蒸気、二酸化炭素など）を吸気する機能を有している。
【０１３２】
発電時において、補器２００が膜電極接合体２のアノード側から気体を吸気した場合、膜電極接合体２のアノード側の内圧が低減する。つまり、補器２００は、気体の吸気により膜電極接合体２のアノード１３の内圧を減圧方向に制御することが可能となる。
【０１３３】
これにより、カバープレート２１及び板状体２０を介して外部からカソード１６に向けて発電反応に必要な物質、例えば、酸素や水蒸気（あるいは水）の取り込みを促進することが可能となる。
【０１３４】
また、燃料タンク３０が減圧されて、液体燃料の蒸散を促進するとともに、液体燃料の拡散を促進することが可能となる。
【０１３５】
加えて、補器２００が気体を吸気する場合には、発電反応によって生成した物質のうち、不要物質、例えば二酸化炭素の系外への排出を促進することも可能となる。
【０１３６】
上記の各実施形態は単独で実施可能であるが、複数の実施形態を組み合わせてもよいし、各実施形態における各構成例を組み合わせても良いことはいうまでもない。
【０１３７】
上述した各実施形態の燃料電池１は、各種の液体燃料を使用した場合に効果を発揮し、液体燃料の種類や濃度は限定されるものではない。ただし、燃料を面方向に分散させつつ供給する燃料供給機構３は、特に燃料濃度が濃い場合に有効である。このため、各実施形態の燃料電池１は、濃度が８０ｗｔ％以上のメタノールを液体燃料として用いた場合に、その性能や効果を特に発揮することができる。したがって、各実施形態は、メタノール濃度が８０ｗｔ％以上のメタノール水溶液や純メタノールを液体燃料として用いた燃料電池１に好適である。
【０１３８】
さらに、上述した各実施形態は、本発明をセミパッシブ型の燃料電池１に適用した場合について説明したが、本発明はこれに限られるものではなく、内部気化型の純パッシブ型の燃料電池に対しても適用可能である。
【０１３９】
なお、本発明は液体燃料を使用した各種の燃料電池に適用することができる。また、燃料電池の具体的な構成や燃料の供給状態等も特に限定されるものではなく、ＭＥＡに供給される燃料の全てが液体燃料の蒸気、全てが液体燃料、または一部が液体状態で供給される液体燃料の蒸気等、種々形態に本発明を適用することができる。実施段階では本発明の技術的思想を逸脱しない範囲で構成要素を変形して具体化することができる。さらに、上記実施形態に示される複数の構成要素を適宜に組み合わせたり、また実施形態に示される全構成要素から幾つかの構成要素を削除したりする等、種々の変形が可能である。本発明の実施形態は本発明の技術的思想の範囲内で拡張もしくは変更することができ、この拡張、変更した実施形態も本発明の技術的範囲に含まれるものである。
【図面の簡単な説明】
【０１４０】
【図１Ａ】図１Ａは、この発明の燃料電池の構成を模式的に示す図である。
【図１Ｂ】図１Ｂは、この発明の燃料電池の他の構成を模式的に示す図である。
【図１Ｃ】図１Ｃは、この発明の燃料電池の他の構成を模式的に示す図である。
【図２】図２は、補器が吸液または吸気した場合の物質移動の様子を模式的に示す図である。
【図３】図３は、補器が送液または送気した場合の物質移動の様子を模式的に示す図である。
【図４】図４は、補器が減圧した場合の物質移動の様子を模式的に示す図である。
【図５】図５は、補器が加圧した場合の物質移動の様子を模式的に示す図である。
【図６】図６は、この発明の一実施の形態に係る燃料電池の構造を概略的に示す断面図である。
【図７】図７は、図１に示した燃料電池における膜電極接合体の構造の一部の断面を概略的に示す斜視図である。
【図８】図８は、図７に示した膜電極接合体の平面図である。
【図９】図９は、第１実施形態の加圧時を説明するための図である。
【図１０】図１０は、第１実施形態の加圧時の他の形態を説明するための図である。
【図１１】図１１は、第１実施形態の加圧時の他の形態を説明するための図である。
【図１２】図１２は、第２実施形態の加圧時を説明するための図である。
【図１３】図１３は、第３実施形態の加圧時を説明するための図である。
【図１４】図１４は、第４実施形態の加圧時を説明するための図である。
【図１５】図１５は、第１実施形態の減圧時を説明するための図である。
【図１６】図１６は、第１実施形態の減圧時の他の形態を説明するための図である。
【図１７】図１７は、第１実施形態の減圧時の他の形態を説明するための図である。
【図１８】図１８は、第２実施形態の減圧時を説明するための図である。
【図１９】図１９は、第３実施形態の減圧時を説明するための図である。
【図２０】図２０は、第３実施形態の減圧時の他の形態を説明するための図である。
【図２１】図２１は、第４実施形態の減圧時を説明するための図である。
【図２２】図２２は、第４実施形態の減圧時の他の形態を説明するための図である。
【符号の説明】
【０１４１】
１…燃料電池  ２…膜電極接合体
１１…アノード触媒層  １２…アノードガス拡散層  １３…アノード
１４…カソード触媒層  １５…カソードガス拡散層  １６…カソード
１７…電解質膜  ２０…板状体（保湿層）  ２１…カバープレート
３…燃料供給機構  ４…燃料収容部  ５…流路  ６…ポンプ
４０…流路  ２００…補器  ２１０…補器
【図１Ａ】
2009193930.tif 000003
【図１Ｂ】
2009193930.tif 000004
【図１Ｃ】
2009193930.tif 000005
【図２】
2009193930.tif 000006
【図３】
2009193930.tif 000007
【図４】
2009193930.tif 000008
【図５】
2009193930.tif 000009
【図６】
2009193930.tif 000010
【図７】
2009193930.tif 000011
【図８】
2009193930.tif 000012
【図９】
2009193930.tif 000013
【図１０】
2009193930.tif 000014
【図１１】
2009193930.tif 000015
【図１２】
2009193930.tif 000016
【図１３】
2009193930.tif 000017
【図１４】
2009193930.tif 000018
【図１５】
2009193930.tif 000019
【図１６】
2009193930.tif 000020
【図１７】
2009193930.tif 000021
【図１８】
2009193930.tif 000022
【図１９】
2009193930.tif 000023
【図２０】
2009193930.tif 000024
【図２１】
2009193930.tif 000025
【図２２】
2009193930.tif 000026